(57)【要約】【課題】収容箱の交換を求めるための報知を行わせて、当該収容箱の交換を必要とすることを係員に正確に報知することができるパチンコ遊技機の島設備を提供する。【解決手段】遊技球を収容する収容箱を載置可能な膳板３と、膳板３上に載置された収容箱の重量を測定可能な重量測定手段８と、重量測定手段９で測定された重量に基づき、収容箱に収容された遊技球が所定量以上であるか否かを判定する判定手段９と、パチンコ遊技機において大当たりが発生したことを検知する大当たり検知手段１０と、大当たり検知手段１０により大当たり発生を検知するとともに、判定手段９により収容箱Ｄに収容された遊技球が所定量以上であると判定され、且つ、呼出手段１３が操作されたことを条件として、当該収容箱Ｄの交換を求める報知を行わせる報知手段１１とを備えたものである。【選択図】図５
2012085768.tif 000002
【特許請求の範囲】
【請求項１】
パチンコ遊技機が複数配設されたパチンコ遊技機の島設備において、
遊技者が操作することにより係員を呼び出し可能な呼出手段と、
遊技球を収容する収容箱を載置可能な膳板と、
該膳板上に載置された収容箱の重量を測定可能な重量測定手段と、
該重量測定手段で測定された重量に基づき、前記収容箱に収容された遊技球が所定量以上であるか否かを判定する判定手段と、
前記パチンコ遊技機において大当たりが発生したことを検知する大当たり検知手段と、
該大当たり検知手段により大当たり発生を検知するとともに、前記判定手段により前記収容箱に収容された遊技球が所定量以上であると判定され、且つ、前記呼出手段が操作されたことを条件として、当該収容箱の交換を求める報知を行わせる報知手段と、
を備えたことを特徴とするパチンコ遊技機の島設備。
【請求項２】
前記判定手段にて遊技球が所定量以上に達してからの経過時間を測定するタイマ手段を具備するとともに、当該タイマ手段にて所定時間経過し且つ前記呼出手段の操作がなされたことを条件として、前記報知手段による報知を行わせることを特徴とする請求項１記載のパチンコ遊技機の島設備。
【請求項３】
前記報知手段は、係員を呼び出すための呼出灯を点灯又は点滅させるものであることを特徴とする請求項１又は請求項２記載のパチンコ遊技機の島設備。
【発明の詳細な説明】
【技術分野】
【０００１】
本発明は、パチンコ遊技機が複数配設されたパチンコ遊技機の島設備に関するものである。
【背景技術】
【０００２】
パチンコ遊技機の島設備は、パチンコ店内ホールに設置され、複数のパチンコ遊技機が横並びに配設されるとともに、それらパチンコ遊技機に対して電力の供給や遊技球の供給及び回収等を行い得るよう構成されている。かかるパチンコ遊技機の島設備においては、従来より、一端から他端に亘って略水平方向に延設されつつ遊技球を収容する収容箱（所謂ドル箱）を載置可能な膳板が形成されている（例えば、特許文献１参照）。
【０００３】
そして、かかる膳板に収容箱を載置しておき、パチンコ遊技機から排出された遊技球を当該収容箱にて受け得るようになっている。パチンコ遊技機において大当たりが発生すると、賞球として獲得した多数の遊技球を膳板上の収容箱に収容させている。然るに、収容箱が満杯になった時点で、例えばパチンコ遊技機上に配設された呼び出しスイッチ（呼出手段）を遊技者が操作して、呼出灯（呼び出しスイッチに配設されたもの、或いは島設備毎に配設されたもの等）を点灯又は点滅させ、係員（ホール係）を呼び出して満杯の収容箱を空の収容箱に交換してもらっている。
【先行技術文献】
【特許文献】
【０００４】
【特許文献１】特開２００１−２０４９００号公報
【発明の概要】
【発明が解決しようとする課題】
【０００５】
しかしながら、上記従来のパチンコ遊技機の島設備においては、係員を呼び出して収容箱を交換してもらうために呼出手段を操作した際、係員側では、収容箱を交換するための呼出しなのか或いは他の要求（パチンコ遊技機からの払出が行われていない又は遊技球が遊技盤の釘にひっかかっている場合等）のための呼出しなのか正確に判断することが困難であるという問題があった。
【０００６】
一方、従来より、遊技球を収容させた状態の収容箱の重量を測定し、内在する遊技球の数を推定する技術が提案されており、これを利用して収容箱が遊技球で満杯になったことを検知して報知することにより、自動的に係員を呼び出すよう構成することも考えられるが、この場合、収容箱内の遊技球（持ち玉）で遊技を行う場合など収容箱の交換を必要としない場合まで報知してしまう虞がある。
【０００７】
本発明は、このような事情に鑑みてなされたもので、収容箱の交換を求めるための報知を行わせて、当該収容箱の交換を必要とすることを係員に正確に報知することができるパチンコ遊技機の島設備を提供することにある。
【課題を解決するための手段】
【０００８】
請求項１記載の発明は、パチンコ遊技機が複数配設されたパチンコ遊技機の島設備において、遊技者が操作することにより係員を呼び出し可能な呼出手段と、遊技球を収容する収容箱を載置可能な膳板と、該膳板上に載置された収容箱の重量を測定可能な重量測定手段と、該重量測定手段で測定された重量に基づき、前記収容箱に収容された遊技球が所定量以上であるか否かを判定する判定手段と、前記パチンコ遊技機において大当たりが発生したことを検知する大当たり検知手段と、該大当たり検知手段により大当たり発生を検知するとともに、前記判定手段により前記収容箱に収容された遊技球が所定量以上であると判定され、且つ、前記呼出手段が操作されたことを条件として、当該収容箱の交換を求める報知を行わせる報知手段とを備えたことを特徴とする。
【０００９】
請求項２記載の発明は、請求項１記載のパチンコ遊技機の島設備において、前記判定手段にて遊技球が所定量以上に達してからの経過時間を測定するタイマ手段を具備するとともに、当該タイマ手段にて所定時間経過し且つ前記呼出手段の操作がなされたことを条件として、前記報知手段による報知を行わせることを特徴とする。
【００１０】
請求項３記載の発明は、請求項１又は請求項２記載のパチンコ遊技機の島設備において、前記報知手段は、係員を呼び出すための呼出灯を点灯又は点滅させるものであることを特徴とする。
【発明の効果】
【００１１】
請求項１の発明によれば、大当たり検知手段により大当たり発生を検知するとともに、判定手段により収容箱に収容された遊技球が所定量以上であると判定され、且つ、呼出手段が操作されたことを条件として、当該収容箱の交換を求める報知を報知手段にて行わせるので、収容箱の交換を求めるための報知を係員に対して正確に行わせることができる。
【００１２】
請求項２の発明によれば、判定手段にて遊技球が所定量以上に達してからの経過時間を測定するタイマ手段を具備するとともに、当該タイマ手段にて所定時間経過し且つ呼出手段の操作がなされたことを条件として報知手段による報知を行わせるので、床上に載置していた満杯の収容箱を一時的に膳板に載置させた場合などにおける報知手段による誤報知を回避させることができ、信頼性をより向上させることができる。
【００１３】
請求項３の発明によれば、報知手段は、点灯又は点滅により係員を呼び出すための呼出灯であるので、従来よりパチンコ遊技機の上部或いは島設備毎に設置された呼出灯を流用して報知手段とすることができる。
【図面の簡単な説明】
【００１４】
【図１】本発明の実施形態に係るパチンコ遊技機の島設備を示す全体斜視図
【図２】同パチンコ遊技機の島設備の内部構成を示す側面模式図
【図３】同パチンコ遊技機の島設備における膳板を示す平面図
【図４】図３におけるＩＶ−ＩＶ線断面図
【図５】同パチンコ遊技機の島設備における接続関係を示すブロック図
【図６】本発明の他の実施形態に係るパチンコ遊技機の島設備における接続関係を示すブロック図
【発明を実施するための形態】
【００１５】
以下、本発明の実施形態について図面を参照しながら具体的に説明する。
本実施形態に係るパチンコ遊技機の島設備は、図１に示すように、遊技店に設置されるとともにパチンコ遊技機２が複数並列して設置された島状のものから成る。かかる島設備１は、それぞれのパチンコ遊技機２に電力を供給し得るとともに、各パチンコ遊技機２に遊技球を供給し或いは回収する流路を具備したものである。
【００１６】
本実施形態で適用されるパチンコ遊技機２は、ガラス板が取り付けられた前面枠を有しており、該ガラス板から遊技者が遊技盤を目視し得るように構成されており、この遊技盤の遊技領域には、図柄表示手段、始動口や大入賞口等の種々役物が配設されている。そして、ハンドルを回転操作することにより、遊技球が遊技盤に発射され、所定の入賞口に入賞或いは最下のアウト穴に至るよう構成されている。
【００１７】
島設備１は、パチンコ遊技機２に電力を供給し得る電力供給手段（不図示）を具備するとともに、図２に示すように、遊技球を各パチンコ遊技機２側に流下させるべく島設備１上にて一時的に遊技球を収容する島上タンク５や、パチンコ遊技機２における入賞口或いはアウト穴から導かれた遊技球を一時的に収容するプールタンク４等が配設されている。また、各パチンコ遊技機２の上部には、係員（ホール係）を呼び出すべく点灯又は点滅して報知する呼出灯６が配設されるとともに、各遊技島１の上部には、同様に係員（ホール係）を呼び出すべく点灯又は点滅して報知する呼出灯７が配設されている。
【００１８】
更に、各遊技島１の上部であってパチンコ遊技機２に対応した部位には、遊技者が操作することにより係員を呼び出し可能なスイッチから成る呼出手段１３が配設されている。而して、遊技過程において、パチンコ遊技機等の不具合や係員に対する要求等がある場合、遊技者が呼出手段１３を操作すれば、後述する呼出灯６、７を点灯又は点滅させて周囲の係員に対して報知し得るようになっている。尚、島設備１内には、遊技球を研磨するための研磨装置や、該研磨装置で研磨された遊技球を順次島上タンク５に揚送するリフタ等が配設されており、島設備１内において遊技球が循環し得るようになっている。
【００１９】
また更に、島設備１においては、遊技者が着座する側に突出させて膳板３が配設されている。かかる膳板３は、各島設備１の一端から他端に亘って略水平方向に延設されて遊技球を収容する収容箱Ｄ（所謂ドル箱）を載置可能な板状部材から成るもので、この膳板３に沿って複数のパチンコ遊技機２が並設された状態とされている。即ち、遊技者は、パチンコ遊技機２の前方に着座して、そのパチンコ遊技機２の下方に位置する膳板３上に自分の収容箱Ｄを載置して遊技を行い得るようになっているのである。
【００２０】
ここで、本実施形態においては、膳板３には、図３、４に示すように、当該膳板３上に載置された収容箱Ｄの重量を測定可能な重量測定手段８が配設されている。この重量測定手段８は、膳板３における各パチンコ遊技機２それぞれの上部の所定部位に複数配設されており、それぞれのパチンコ遊技機２で遊技する遊技者が膳板３上に載置した収容箱Ｄの重量を測定可能とされている。
【００２１】
この重量測定手段８には、図５に示すように、判定手段９が電気的に接続されるとともに、大当たり検知手段１０及び報知手段１１がそれぞれ接続されている。このうち、判定手段９は、マイコン等から成るもので、重量測定手段８で測定された重量に基づき、収容箱Ｄに収容された遊技球が所定量以上であるか否かを判定するものである。即ち、収容箱Ｄ及び遊技球１個の重量は、それぞれ既知であるため、重量測定手段８で測定した重量から収容箱Ｄの重量を減算し、遊技球１個の重量で割り算すれば、当該収容箱Ｄ内に収容された遊技球の数を推定することができるのである。
【００２２】
尚、判定手段９は、遊技球の個数を判定する必要はなく、遊技球が所定量以上であるか否かを判定し得れば足りる。かかる判定基準となる遊技球の所定量は、収容箱Ｄにおいて遊技球が満杯となる直前の量とされ、係員の呼び出し時間及び収容箱Ｄの交換時間を勘案して任意に設定されるようになっている。即ち、満杯になってから係員を呼び出しても遊技球が溢れてしまうことが想定されるため、満杯になる直前の状態を判定手段９が判定するようになっているのである。
【００２３】
大当たり検知手段１０は、パチンコ遊技機２において大当たりが発生したことを検知するためのもので、例えばパチンコ遊技機２の遊技状態を外部に出力し得る既存の出力手段に接続されたもので構成するのが好ましい。例えば、パチンコ遊技機２にて大当たりが発生すると、大入賞口が所定タイミングで複数回開成し、当該大入賞口に遊技球を継続的に入賞させ得る状態となるので、多数の遊技球を獲得することができる。獲得した遊技球は、パチンコ遊技機２の受け皿（下皿）に排出され、遊技者が任意タイミングにて当該受け皿上の遊技球を排出させて収容箱Ｄ内に収容させることができる。
【００２４】
報知手段１１は、判定手段９、大当たり検知手段１０及び呼出手段１３とそれぞれ電気的に接続されたマイコン等から成り、大当たり検知手段１０により大当たり発生を検知するとともに、判定手段９により収容箱Ｄに収容された遊技球が所定量以上であると判定され、且つ、呼出手段１３が操作されたことを条件として、当該収容箱Ｄの交換を求める報知（例えば、他の要求時とは異なる形態による報知）を行わせるものである。即ち、呼出手段１３が操作され、且つ、パチンコ遊技機２が大当たり状態のときに限り、収容箱Ｄが満杯になるか否かを判定手段９にて判定させ、報知手段１１による報知を行わせるよう構成されているのである。
【００２５】
これにより、大当たり検知手段１０により大当たり発生を検知するとともに、判定手段９により収容箱Ｄに収容された遊技球が所定量以上であると判定され、且つ、呼出手段１３が操作されたことを条件として、当該収容箱Ｄの交換を求める報知（例えば、他の要求時とは異なる形態による報知）を行わせることができるので、収容箱の交換を求めるための報知を係員に対して正確に行わせることができるとともに、収容箱の交換を必要としない場合の報知（収容箱内の遊技球（持ち玉）で遊技を行う場合など）を回避することができる。
【００２６】
また、本実施形態においては、図５に示すように、報知手段１１は、係員を呼び出すための呼出灯６或いは７と電気的に接続されており、当該呼出灯６、７を点灯又は点滅させるよう構成されている。具体的には、呼出手段１３が操作された際、報知手段１１による報知とその他の報知とで呼出灯６、７の点灯又は点滅形態を変えることにより、係員に対して、収容箱の交換を要求しているのか或いは他の要求なのかを判別容易とすることができる。これにより、従来よりパチンコ遊技機２の上部或いは島設備１毎に設置された呼出灯６、７を流用して報知手段１１とすることができる。尚、報知手段１１は、呼出灯６、７により報知を行わせるものの他、音声など他の方法により係員を呼び出し得るものであってもよい。
【００２７】
以上、本実施形態について説明したが、本発明はこれに限定されるものでなく、例えば図６に示すように、タイマ手段１２を接続させたものとしてもよい。この場合、タイマ手段１２は、判定手段９にて遊技球が所定量以上に達してからの経過時間を測定するものとされ、当該タイマ手段１２にて所定時間経過し且つ呼出手段１３の操作がなされたたことを条件として、報知手段１１’による報知を行わせるものである。これにより、床上に載置していた満杯の収容箱を一時的に膳板に載置させた場合などにおける報知手段１１’による誤報知を回避させることができ、信頼性をより向上させることができる。
【産業上の利用可能性】
【００２８】
大当たり検知手段により大当たり発生を検知するとともに、判定手段により収容箱に収容された遊技球が所定量以上であると判定され、且つ、呼出手段が操作されたことを条件として、当該収容箱の交換を求める報知を行わせる報知手段を備えたパチンコ遊技機の島設備であれば、外観形状が異なるもの或いは他の機能が付加されたもの等にも適用することができる。
【符号の説明】
【００２９】
１  島設備
２  パチンコ遊技機
３  膳板
４  プールタンク
５  島上タンク
６  呼出灯
７  呼出灯
８  重量測定手段
９  判定手段
１０  大当たり検知手段
１１  報知手段
１２  タイマ手段
１３  呼出手段
Ｄ  収容箱
【図１】
2012085768.tif 000003
【図２】
2012085768.tif 000004
【図３】
2012085768.tif 000005
【図４】
2012085768.tif 000006
【図５】
2012085768.tif 000007
【図６】
2012085768.tif 000008